(57)【要約】【課題】  本考案は枕の頭、首を支える部分をハンモック状にして頭、首を優しく支えるとともに、併せてこの部分の高さを調整できる形にして安眠、熟睡に供する。  また就寝中に首筋に軽いマッサージ刺激を与え、効果増大をはかる。  さらに枕自体に小物収納部を設け眼鏡や携帯電話の置場所忘れを防止する。【解決手段】  基本考案のハンモック構造は、２８個の木片を、縦紐と横紐で編み上げて枕本体の両端に吊る形で構成し、その高さは編み上げに使用している縦紐をきつく締めたり緩めたりして調整する。  首筋に与えるマッサージ刺激は、マグネットを頭、首を支える木片に複数埋め込んで磁気刺激を与える。  小物収納部は枕本体の下部を木製の箱形にし、ここを収納部とし蓋は設けない。【選択図】図３
0003131519.tif 000002
【実用新案登録請求の範囲】
【請求項１】
複数の木片をつなぎ合わせて本体の両端に吊り、この部分で頭、首を支える枕。
【請求項２】
頭、首を支える部分の高さを調整できる枕。
【請求項３】
就寝中、首筋に軽いマッサージ効果を与えることができる枕
【請求項４】
枕本体に収納スペースを設け、眼鏡・携帯電話などの小物の収納を可能にする枕。
【考案の詳細な説明】
【技術分野】
【０００１】  本考案は安眠、熟睡を目的とし、かつ小物収納スペースを設けた枕に関するものである。
【背景技術】
【０００２】  人間は安眠・熟睡を熱望しているが、その欲求を満足させる安価な方法がなかった
【考案の開示】
【考案が解決しようとする課題】
【０００３】  既存の枕は、高さや固さなどはその枕自体の材質や構造によって定まり、頭と首を支える部分に優しさが足りない感があることを解決することと併せて、頭と首を支える部分の高さを調整できるようにする。
また首筋にマッサージ効果を与える機能がないため、マッサージ刺激与えて深い睡眠に誘うようにする。
さらに睡眠時には不要な眼鏡や携帯電話などは、枕自体に収納機能がないため、別な場所に保管する必要があることも解決する。
【課題を解決するための手段】
【０００４】  頭、首を支える部分は２８個の木片を紐で編み込んで、これを本体の両端にハンモック形状に吊り、頭、首を優しく支えることにする。このハンモック形状の部分は木片を編んでいる紐で張り具合と高さを調整できるようにする。
就寝中、首筋に軽いマッサージ効果を与える方法は、マグネットを使って磁気の刺激を首筋に与える形で解決する。マグネットは頭、首を支える木片に埋め込む形にする。
収納スペースを枕本体の材質を木材にし、その底の部分に収納可能なスペースを設ける形で解決する。
【考案の効果】
【０００５】  頭、首は就寝時に優しく支えられ、快眠、熟睡の効果があり、さらに紐による張り具合の調整は、高さや固さの微調整に効果がある。
マグネットは就寝時に磁気の力で疲労回復の効果を生む。
収納スペースを設けることにより前述のように就寝時不要となる眼鏡などを他の場所に保管する必要がなく、置き場所忘れがなくなる。
【考案を実施するための最良の形態】
【０００６】  頭、首を支える部分は、１列に７個の木片を縦紐でつないだ物を４列横紐で編み込んで、これをハンモックのように枕本体の両端に吊る。木片をつないだ紐は長い物を使用し緩めたり縮めたりして調整できるようにする。
マッサージ効果を目的とするマグネットは、円柱形または直方体形の物を頭、首を支える部分の木片に埋め込む。
収納スペースは枕本体の底部分を箱型にして作り、蓋は設けない。
【実施例】
【０００７】  以下、添付図面にしたがって実施例を説明する。
１の縦紐を３の木片の穴に通してつなぎながら４列のパーツを、４の本体に吊り１の縦紐を縛る。この状態で２の横紐で４列のパーツを編み込んで頭、首を支える部分を作る。【０００８】  １の縦紐を強く引いて縛れば張りぐあいは強くなり、高さはたかくなり調整が可能となる。【０００９】  ５のマグネットを３の木片に埋め込み磁気刺激を頭、首に与える。【００１０】  本体４は木材で作り、底の部分を箱型にし収納スペースにする。蓋は設けない
【符号の説明】
【００１１】    １  縦紐
２  横紐
３  木片
４  本体
５  マグネット
【図１】
0003131519.tif 000003
【手続補正書】
【提出日】平成19年2月7日(2007.2.7)
【手続補正１】
【補正対象書類名】実用新案登録請求の範囲
【補正対象項目名】全文
【補正方法】変更
【補正の内容】
【実用新案登録請求の範囲】
【請求項１】
複数の木片をつなぎ合わせて本体の両端に吊り、この部分で頭、首を支える枕
【請求項２】
つなぎ合わせた木片は紐で吊り、この紐の吊り強度を加減して頭、首を支える部分の高さを調整できることを特徴とする請求項１に記載する枕
【請求項３】
木片にマグネットを埋め込み、この磁気刺激で就寝中、首筋に軽いマッサージ効果を与えることができることを特徴とする請求項１に記載する枕
【請求項４】
枕本体に収納スペースを設け、眼鏡・携帯電話などの小物の収納を可能にすることを特徴とする請求項１に記載する枕
【手続補正２】
【補正対象書類名】明細書
【補正対象項目名】全文
【補正方法】変更
【補正の内容】
【考案の詳細な説明】
【技術分野】
【０００１】  本考案は安眠、熟睡を目的とし、かつ小物収納スペースを設けた枕に関する物である。
【背景技術】
【０００２】  人間は安眠・熟睡を熱望しているが、その欲求を満足させる安価な方法がなかった。
【考案の開示】
【考案が解決しようとする課題】
【０００３】  既存の枕は、高さや固さなどはその枕自体の材質や構造によって定まり、頭と首を支える部分に優しさが足りない感があることを解決することと併せて、頭と首を支える部分の高さを調整できるようにする。
また首筋にマッサージ効果を与える機能がないため、マッサージ刺激を与えて深い睡眠に誘うようにする。
さらに睡眠時には不要な眼鏡や携帯電話などは、枕自体に収納機能が無いため、別な場所に保管する必要があることも解決する。
【課題を解決するための手段】
【０００４】  頭・首を支える部分は２８個の紐で編み込んで、これを本体の両端にハンモック形状に吊り、頭、首を優しく支えることにする。このハンモック形状の部分は木片を編んでいる紐で張り具合と高さを調整できるようにする。
就寝中、首筋に軽いマッサージ効果を与える方法は、マグネットを使って磁気の刺激を首筋に与える形で解決する。マグネットは頭、首を支える木片に埋め込む形にする。
収納スペースを枕本体の材質を木材にし、その底の部分に収納可能のスペースを設ける形で解決する。
【考案の効果】
【０００５】  頭、首は就寝時に優しく支えられ、快眠、熟睡の効果があり、さらに紐による張り具合の調整は、高さや固さの微調整に効果がある。
マグネットは就寝時に磁気の力で疲労回復の効果を生む。
収納スペースを設けることにより前述のように就寝時不要となる眼鏡などを他の場所に保管する必要がなく、置き場所忘れがなくなる。
【考案を実施するための最良の形態】
【０００６】  頭、首を支える部分は、１列に７個の木片を縦紐でつないだ物を４列横紐で編み込んで、これをハクモックのように枕本体の両端に吊る。木片をつないだ紐は長い物を使用し緩めたり縮めたりして調整できるようにする。
マッサージ効果を目的とするマグネットは、円柱形または直方体形の物を頭、首を支える部分の木片に埋め込む。
収納スペースは枕本体の底部分を箱型にして作り、蓋は設けない。
【実施例】
【０００７】  以下、添付図面にしたがって実施例を説明する。
１の縦紐を３の木片の穴に通してつなぎながら４列のパーツを、４の本体に吊り１の縦紐を縛る。この状態で２の横紐で４列のパーツを編み込んで頭、首を支える部分を作る。【０００８】  １の横紐を強く引いて縛れば張りぐあいは強くなり、高さはたかくなり調整が可能となる。【０００９】  ５のマグネットを３の木片に埋め込み磁気刺激を頭、首に与える。【００１０】  本体４は木材で作り、底の部分を箱型にし収納スペースにする。蓋は設けない。
【図面の簡単な説明】
【００１１】
【図１】は、上面図
【図２】は、Ａ−Ａ断面図
【図３】は、側面図
【符号の説明】
【００１２】１  縦紐
２  横紐
３  木片
４  本体
５  マグネット
【手続補正３】
【補正対象書類名】図面
【補正対象項目名】全図
【補正方法】変更
【補正の内容】
【図１】
0003131519.tif 000004
【図２】
0003131519.tif 000005
【図３】
0003131519.tif 000006